(57)【要約】【課題】遊技盤の前面を覆う透明部材の着脱作業を容易かつ低コストに実施可能な窓構造を提供する。【解決手段】本発明は、遊技機本体の前面側に遊技盤の前方を覆って設けられた窓枠５０と、この窓枠５０に設けられた透明部材とからなり、透明部材を介して遊技盤を透視させて遊技を行うように構成された遊技機の窓構造である。この窓構造では、透明部材が、窓枠５０の前面側に位置する合成樹脂製の第１透明部材６０と、窓枠の後面側に位置するガラス製の第２透明部材とからなり、第１透明部材が窓枠に着脱可能に設けられて、第１透明部材６０を単体で交換可能に構成される。【選択図】図１０
2008228963.tif 000002
【特許請求の範囲】
【請求項１】
遊技機本体の前面側に遊技盤の前方を覆って設けられた窓枠と、前記窓枠に前後に並んで設けられた透明部材とからなり、前記透明部材を介して前記遊技盤を透視させて遊技を行うように構成された遊技機の窓構造であって、
前記透明部材が、前記窓枠の前面側に位置する合成樹脂製の第１透明部材と、前記窓枠の後面側に位置するガラス製の第２透明部材とからなり、
前記第１透明部材が前記窓枠に着脱可能に設けられて、前記第１透明部材を単体で交換可能に構成したことを特徴とする遊技機の窓構造。
【請求項２】
前記第１透明部材及び前記窓枠に、前記第１透明部材が前記窓枠に装着されたときに相互に嵌合して当該第１透明部材を前記窓枠に係止するロック機構を備え、
前記ロック機構における前記第１透明部材側のロック構造が、前記第１透明部材に一体に形成されることを特徴とする請求項１に記載の遊技機の窓構造。
【請求項３】
前記第２透明部材が前記窓枠に着脱可能に設けられるとともに、
前記窓枠の裏面側に、上下及び左右の少なくともいずれかに対向して設けられ前記第１透明部材が前記窓枠に装着された状態において当該第１透明部材の側縁を挟む第１透明部材装着部を有し、
前記第１透明部材は、前記第２透明部材を前記窓枠から取り外した状態で前記第１透明部材を後方に撓ませたときに、前記第１透明部材の側縁と前記第１透明部材装着部との係合が解除されて着脱が可能になるように構成したことを特徴とする請求項１または請求項２に記載の遊技機の窓構造。
【発明の詳細な説明】
【技術分野】
【０００１】
本発明は、遊技機本体の前面側に遊技盤の前方を覆って設けられた窓枠と、この窓枠に前後に並んで設けられた透明部材とからなり、透明部材を介して遊技盤を透視させて遊技を行うように構成された遊技機の窓構造に関する。
【背景技術】
【０００２】
上記のような遊技機としてパチンコ機やアレンジボール機、雀球遊技機などがある。この種の遊技機の代表例とされるパチンコ機では、開閉搭載枠たる前枠の上部に遊技盤がセット保持され、その前方に窓扉（ガラス扉とも称される）が設けられている。窓扉は前枠に開閉可能に設けられた窓枠と、この窓枠に前後に並んで設けられた透明部材とからなり、透明部材を介して遊技領域を透視させて遊技を行うように構成される。前後の透明部材は、いずれも遊技領域を透視させる作用において共通するが、遊技盤に近接して配置される後方の透明部材は、遊技球の前方への飛び出しを防止して遊技領域を前後に画定する目的、前方に設けられた透明部材は、遊技盤との間に空間を形成して磁石等を用いた不正行為を防止する目的で設けられる。
【０００３】
従来では、前後の透明部材としてガラス板が一般的に用いられており、取り扱いの容易化や組み立て工数の削減等のため、外殻枠状のガラスフレームの前後にガラス板を接着して２枚のガラスを所定間隔で一体的に保持したガラスユニットが広く用いられている（例えば、特許文献１、特許文献２を参照）。一方、前後２枚のガラスを一体化したガラスユニットは、当然のことながらガラス板２枚分以上の質量となり、運搬や着脱作業が大変であるとの指摘がある。このため、近年では、窓扉全体を透明な樹脂材料で成型して前方の透明部材の機能を持たせ、前方の透明部材を廃止した窓構造の提案がなされている（例えば、特許文献３を参照）。
【０００４】
【特許文献１】特開平９−７１８号公報
【特許文献２】特開２００５−３１９２１９号公報
【特許文献３】特開２００６−８７０５４号公報
【発明の開示】
【発明が解決しようとする課題】
【０００５】
ところが、前方の透明部材は遊技者が直接的に接触可能な前面部材である一方、樹脂材料はガラスよりも表面硬度が低く融点も比較的低温である。このため、例えば、表面に付着した汚れを除去するための清掃を繰り返すと表面に生じた微細な傷により徐々に透明度が低下し、また、遊技者のなかには故意に金属片で引っ掻く者や、タバコの火を押し付けて表面を溶融させる者が存在し、前方の透明部材を交換する必要が生じる。このような環境条件下にあって、上記提案のように、窓扉全体を透明な樹脂材料で成型して前方の透明部材の機能を持たせた窓構造では、窓扉の交換作業が容易でなく、費用も高額になるという問題があった。一方、ガラスユニットの前方のガラス板を透明樹脂板に変更すれば、上記問題を改善し得るとも考えられる。しかし、交換されたユニットから透明樹脂板及びガラス板を分離することが難しく、リサイクル性が課題となっていた。
【０００６】
本発明は上記のような課題に鑑みてなされたものであり、透明部材の着脱作業を容易にかつ低コストで実施可能な窓構造を提供することを目的とする。
【課題を解決するための手段】
【０００７】
上記目的を達成するため、本発明は、遊技機本体の前面側に遊技盤の前方を覆って設けられた窓枠と、この窓枠に前後に並んで設けられた透明部材とからなり、透明部材を介して遊技盤を透視させて遊技を行うように構成された遊技機の窓構造であり、透明部材が、窓枠の前面側に位置する合成樹脂製の第１透明部材と、窓枠の後面側に位置するガラス製の第２透明部材とからなり、第１透明部材が窓枠に着脱可能に設けられて、第１透明部材を単体で交換可能に構成される。
【０００８】
また、前記第１透明部材及び窓枠に、第１透明部材が窓枠に装着されたときに相互に嵌合して当該第１透明部材を窓枠に係止するロック機構を備え、このロック機構における第１透明部材側のロック構造が、第１透明部材に一体に形成される。
【０００９】
また、前記第２透明部材が前記窓枠に着脱可能に設けられるとともに、窓枠の裏面側に、上下及び左右の少なくともいずれかに対向して設けられ第１透明部材が窓枠に装着された状態において当該第１透明部材の側縁を挟む第１透明部材装着部を有し、第１透明部材は、第２透明部材を窓枠から取り外した状態で第１透明部材を後方に撓ませたときに、第１透明部材の側縁と第１透明部材装着部との係合が解除されて着脱が可能になるように構成される。
【発明の効果】
【００１０】
本発明に係る遊技機の窓構造では、窓枠の前面側に合成樹脂製の第１透明部材、窓枠の後面側にガラス製の第２透明部材が設けられ、第１透明部材を単体で交換可能に構成される。すなわち、第１透明部材が損傷を受けて交換する必要が生じたような場合に、第１透明部材を取り外して単体で交換することができる。第１透明部材は合成樹脂製のため軽量かつ安価であり、交換作業を容易に低コストで実施することができる。また交換される部材が合成樹脂製の第１透明部材単体であるためガラス等との分離作業が不要であり、そのまま既存のリサイクル処理ルートに乗せることができる。
【００１１】
請求項２に係る遊技機の窓構造では、前記第１透明部材及び窓枠に相互に嵌合して第１透明部材を係止するロック機構が設けられ、このロック機構における第１透明部材側のロック構造が第１透明部材に一体に形成される。このような構成によれば、第１透明部材を係止保持するロック構造を、射出成型等の成形手段により簡単かつ低コストに形成することができ、生産工数及びコストを低減した窓構造を提供できる。また、第１透明部材が合成樹脂製であることから、樹脂材料の有する弾性を利用したロック構造を形成することができ、着脱交換が容易な窓構造を提供することができる。
【００１２】
請求項３に係る遊技機の窓構造は、第１透明部材の装着状態において第１透明部材の側縁を挟む第１透明部材装着部を有し、第１透明部材は、第２透明部材を窓枠から取り外した状態で第１透明部材を後方に撓ませたときに第１透明部材の側縁と第１透明部材装着部との係合が解除されて着脱が可能になるように構成される。このような構成によれば、遊技島に設置された遊技機に対して第１透明部材を着脱するために細かな位置合わせや脚立に乗って作業を行うような必要が無く、第１透明部材の中央部を押圧して撓み変形させる簡単な操作で第１透明部材を着脱することができる。
【００１３】
従って、本発明によれば、透明部材の着脱作業を容易に、かつ低コストで実施可能な窓構造を提供することができる。
【発明を実施するための最良の形態】
【００１４】
以下、図面を参照して本発明の好ましい実施形態について説明する。本発明に係る遊技釘の植設された遊技盤を備える弾球遊技機の一例として、パチンコＰＭの正面図を図１に示し、窓扉５および遊技盤２０を取り外した状態におけるパチンコ機ＰＭの正面図（窓扉５については背面図）を図２に示しており、まずこれらの図面を参照してパチンコ機ＰＭの全体構成について概要説明する。
【００１５】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００１６】
前枠２の前面側では、前側面域に合わせた方形状の窓扉５および球皿ユニット６が正面左側部に設けられたヒンジ機構７ａ，７ｂ，７ｃにより横開き開閉および着脱が可能に組付けられ、常には施錠装置４を利用して閉鎖状態に保持される。球皿ユニット６の右側下部には遊技球の発射操作を行う発射ハンドル８が設けられている。前枠２の上部には、遊技盤１０を着脱可能に収容保持する収容枠２ａが設けられており、この収容枠に所定のゲージ設定で構成された遊技盤１０が着脱可能に取り付けられ、常には閉鎖保持される窓扉５のガラス窓を通して前面の遊技領域ＰＡを遊技者に臨ませるようになっている。
【００１７】
遊技盤１０は、矩形平板状の基板１１をベースとし、その前面側に案内レール１２に囲まれて遊技球が転動可能な略円形の遊技領域ＰＡが形成される。遊技領域ＰＡには、多数本の遊技釘や風車とともに、固定入賞具や可動入賞具などの各種の入賞装置１５、中央に表示開口を有して額縁状に形成され枠部に波形の転動ステージや選択機構などが設けられた中央飾り２０、中央飾り２０の裏面側に取り付けられて遊技展開に応じた画像を表示する液晶表示パネル２５などが設けられ、遊技領域ＰＡの下端部には、入賞装置１５に落入せずに落下した遊技球を遊技盤１０の裏面に排出させるアウト口１６が設けられている。またパチンコ機の各部に遊技展開に応じて点滅作動される電飾装置２８が設けられている。
【００１８】
遊技盤１０の後方に位置する前枠２の裏面側には、詳細図示を省略するが、裏セット盤と称される機構セット盤が取り付けられており、ここに、球貯留タンクや球払出装置などの賞球の払出機構、遊技盤１０から排出されたセーフ球やアウト球等の遊技済み球を遊技施設の回収装置に導く遊技済み球排通路などの球処理機構が設けられている。また、裏セット盤の後面各部には、パチンコ機ＰＭの作動を統括的に制御する主制御基板、主制御基板における遊技展開状況に応じて液晶表示パネル２５、電飾装置２８、スピーカ等の作動を制御し遊技展開を視覚的・聴覚的に演出する演出制御基板、主制御基板からの指令信号に基づいて球払出装置の作動を制御する払出制御基板、発射ハンドル８からの操作信号に応じて遊技球発射装置の作動を制御する発射制御基板などの種々の回路基板が取り付けられ、これらがコネクタケーブルで接続されてパチンコ機ＰＭが作動可能に構成される。
【００１９】
このように概要構成されるパチンコ機ＰＭにあって、窓扉５は、全体として外殻方形状で中央に前後に連通する略円形の窓口開口５１が形成された大型の窓枠５０と、この窓枠５０に窓口開口５１を塞ぐように前後に並んで設けられた透明部材６０，７０、すなわち窓枠５０の前面側に位置して設けられた第１透明部材６０と、窓枠５０の後面側に位置して設けられた第２透明部材７０などを主体として構成され、窓口開口５１から第１透明部材６０及び第２透明部材７０を介して遊技盤１０を透視させるように構成される。
【００２０】
窓枠５０は、上記のように、全体として外殻方形状で中央に前後に連通する略円形の窓口開口５１が形成された大型の射出成型品であり、その後面側に窓口開口を囲んで補強用の金属材料製の窓枠フレーム５２がネジ固定され、この窓枠フレーム５２にヒンジ機構７ａ，７ｂや、第１，第２透明部材６０，７０の装着構造が設けられている。
【００２１】
窓枠５０の後面側に設けられた第２透明部材７０は、図２に示されるように、上部が円弧状で下部が方形に切り出された透明ガラス製の蒲鉾型のガラス板であり、この第２透明部材７０の外形形状に合わせて形成された枠状のガラスフレーム７２に外周縁部が接着固定されてガラスユニット７５を形成し、このガラスユニット７５が窓枠５０に着脱可能に設けられる（図３を併せて参照）。
【００２２】
すなわち、ガラスフレーム７２及び窓枠フレーム５２には、背面視における互いの右側縁上下に位置してヒンジピンと軸穴とからなる上下一対のガラス開閉ヒンジ７３，７３が設けられて相対揺動自在に連結されており、ガラスユニット７５が窓枠５０の後方に横開き開閉及び着脱が可能に枢支される。またガラスフレーム７２及び窓枠フレーム５２の左側縁上下には、ガラスフレーム７２と係脱自在に係合する係止レバー７４，７４が設けられており、第２透明部材７０が第１透明部材６０の後面を覆う閉鎖状態でガラスフレーム７２を係止し、ガラスユニット７５が閉鎖姿勢に係止保持されるようになっている（図３中の二点鎖線を参照）。
【００２３】
一方、第１透明部材６０は、全体として、第２透明部材７０と同様の蒲鉾型に成型された合成樹脂製の透明板であり、第１透明部材６０単体で窓枠５０に着脱可能に設けられる。第１透明部材６０は、例えばポリカーボネート（ＰＣ）やアクリル樹脂（ＰＭＭＡ）、ＡＢＳ樹脂などの樹脂材料を用い、射出成型等の成形手段により形成される。なお、ポリカーボネート等のように表面硬度が比較的低い合成樹脂材料を用いる場合には、表面にハードコート処理を行うことにより、鉛筆硬度でＦ〜３Ｈ程度まで向上させることができる。
【００２４】
このように第１透明部材６０を合成樹脂材料を用いて形成することにより、第１透明部材のみならずパチンコ機全体を安価かつ軽量に構成することができ、また二次加工（劈開面の端面加工等）を行うことなく寸法精度の高い透明部材を得ることができ、二色成型を行うことにより透視領域の外側を透明または不透明の任意の色彩とすることも可能である。さらに、本発明においては、合成樹脂材料の持つ弾性を利用して、以下のように窓構造を構成する。
【００２５】
第１実施形態の窓構造１０１では、第１透明部材６０及び窓枠５０に、第１透明部材６０が窓枠５０に装着されたときに相互に嵌合して第１透明部材６０を窓枠５０に係止するロック機構１１０が設けられ、このロック機構における第１透明部材側のロック構造が、第１透明部材６０に一体に形成されて構成される。この第１実施形態の窓構造１０１における第１透明部材６０が装着された状態の窓枠５０の平断面図を図３に示す。また、本実施形態における第１実施例のロック機構１１０を図３中のIV矢視方向に見た背面図を図４に示し、図４中のV矢視方向に見たロック機構１１０の側断面図を図５に示す。
【００２６】
第１実施形態の窓構造１０１では、窓枠フレーム５２における窓口開口５１を挟んで対向する左右の枠部５２Ｌ，５２Ｒに、各枠部の内側端部が後方にクランク状に曲折されて、第１透明部材６０の左右端面及び後部縁面を囲む側方装着部５３が形成される。また、窓枠フレーム５２における下側の枠部５２Ｄに、上側端部が後方にクランク状に曲折されて、第１透明部材６０の下端面を支持するとともに後部縁面を囲む下方装着部５４が形成される。
【００２７】
すなわち、各装着部５３，５４が設けられた窓枠フレーム５２の左右の枠部５２Ｌ，５２Ｒ及び下方枠部５２Ｄは、それぞれ、窓枠５０の裏面側に固定される固定面５２ａと、この固定面５２ａの内周側の縁部が後方に直角に折り曲げられた立設面５２ｂと、この立設面５２ｂに繋がって固定面５２ａと平行に枠内方に延びる後方支持面５２ｃとからなり、各立設面５２ｂ及び後方支持面５２ｃにより側方装着部５３、下方装着部５４が形成される。側方装着部５３における左右の立設面の内幅間隔５２ｂ〜５２ｂは、第１透明部材６０の左右方向の外形寸法よりも幾分大きく、各立設面５２ｂの曲げ起こし寸法は、後方支持面と窓口５１の後端面との間隔が第１透明部材６０の板厚よりも幾分大きくなるように設定されている。
【００２８】
本実施形態の窓構造１０１では、上方枠部５２Ｕに上記のような装着部（立設面５２ｂ及び後方支持面５２ｃ）を設けていない。このため、左右一対の側方装着部５３，５３がガイドレールとして機能し、左右の側方装着部５３，５３の上端開口部から第１透明部材６０の下端部を挿入して下方にスライドさせたときに、第１透明部材６０がこれらの側方装着部５３，５３にガイドされながら下動し、第１透明部材６０が窓枠５０の裏面側に装着される。なお、後述する端面支持部５７を上方枠部に設けても良い。そして、第１透明部材６０の下端部、及び下方枠部５２Ｄの立設面５２ｂに、第１透明部材６０が窓枠５０に装着されたときに相互に嵌合して第１透明部材６０を窓枠５０に係止するロック機構１１０が設けられている。
【００２９】
第１実施例のロック機構１１０は、図４及び図５に示すように、第１透明部材６０の下端部左右に形成されたロックアーム１１１と、下方枠部５２Ｄの立設面５２ｂに開口形成された爪受容孔１１５とから構成される。ロックアーム１１１は、スリット溝１１２により第１透明部材６０から切り離されて下方に延びるアーム部１１３と、このアーム部１１３の先端に外向きに突出してフック状に形成されたロック爪１１４とからなり、アーム部１１３を弾性変形させてアーム下端のロック爪１１４を左右に揺動変位可能に構成される。ロック爪１１４には、第１透明部材の下端面と平行に形成されて立設面５２ｂの下面と係脱可能な係止面１１４ｂ、及びこの係止面１１４ｂと繋がって斜め下方に延びる誘導面１１４ｃが形成されている。
【００３０】
一方、爪受容孔１１５は、下方枠部５２Ｄの立設面５２を上下に貫通して形成された矩形孔であり、その形成位置及び開口幅は、ロックアーム１１１に外力が作用していない状態においてロック爪の係止面１１４ｂと係合し得る（平面視重複する）一方、左右のロック爪１１４が、ともに内向きに押圧されてロックアーム１１１の下端側がスリット溝１１２方向に弾性変形された状態においては、各ロック爪１１４が上下に挿通可能となるように形成されている。
【００３１】
このため、上述したように第１透明部材６０を左右の側方装着部５３，５３にガイドさせながら下方にスライドさせてゆくと、第１透明部材６０が窓枠５０の裏面側に装着される直前に、ロック爪１１４に形成された誘導面１１４ｃが爪受容孔１１５の開口端面に当接して相対摺動し、内向きに押圧された各アーム部１１３を弾性変形させながらロック爪１１４が爪受容孔１１５内に進入する。そしてロック爪１１４の爪先端部（側端エッジ部）が爪受容孔１１５を通り抜けると、アーム部１１３に蓄えられた弾性力によりアーム下端部が開いてロック爪１１４が元の状態に自己復帰する。そして、第１透明部材６０の下端面が下方装着部５４の立設面５２ｂに当接支持され、係止面１１４ｂが立設面５２ｂの下側に位置して立設面５２ｂと対峙して配設される。
【００３２】
この状態では、第１透明部材６０をそのまま上方に移動させようとすると、左右のロック爪１１４の係止面１１４ｂが爪受容孔外方の立設面５２ｂと係合し、第１透明部材６０の上動が規制される。すなわち、第１透明部材６０が窓枠５０に装着された状態でロックされる。第１透明部材６０を取り外す際には、左右のロック爪１１４を内向きに押圧して各ロックアーム１１１の下端側をスリット溝１１２方向に弾性変形させ、係止面１１４ｂが爪受容孔１１５の外側立設面と係合しないように待避させて、ロック爪１１４を爪受容孔１１５の上方に移動させる。これによりロック状態が解放されて第１透明部材６０が上方に移動可能となる。あとは、第１透明部材６０をそのまま上方にスライドさせて引き抜けば、第１透明部材６０を窓枠５０から取り外すことができる。
【００３３】
次に、第１実施形態の窓構造における第２実施例のロック機構１２０について、図６及び図７を参照して説明する。ここで、図６は第２実施例のロック機構１２０を図３中のVI矢視方向に見た背面図、図７は図６中のVII矢視方向に見たロック機構１２０の側断面図である。なお、既に参照した図４及び図５と、上記図６及び図７とを対比して分かるように、本実施例のロック機構１２０は第１実施例のロック機構１１０と、ロックアームの形成方向が相違する点を除いて他の構成は同様である。従って、以降では同様の構成部分について同一番号を付して重複説明を省略し、相違点を中心に説明する。
【００３４】
第２実施例のロック機構１２０は、第１透明部材６０の下端部左右に形成されたロックアーム１２１と、下方枠部５２Ｄの立設面５２ｂに開口形成された爪受容孔１２５とから構成される。ロックアーム１２１は、このロックアーム１２１を挟んで左右に形成されたスリット溝１２２により第１透明部材６０から切り離されて下方に延びるアーム部１２３と、このアーム部１２３の先端に後方に突出するフック状に形成されたロック爪１２４とからなり、アーム部１２３を弾性変形させてアーム下端のロック爪１２４を前後に揺動変位可能に構成される。ロック爪１２４には、第１透明部材６０の下端面と平行に形成されて立設面５２ｂの下面と係脱可能な係止面１２４ｂ、及びこの係止面１２４ｂと繋がって斜め下方に延びる誘導面１２４ｃが形成されている。
【００３５】
爪受容孔１２５は、下方枠部５２Ｄの立設面５２を上下に貫通して形成された矩形孔であり、その形成位置及び開口幅は、ロックアーム１２１に外力が作用していない状態においてロック爪の係止面１２４ｂと係合し得る（平面視重複する）一方、左右のロック爪１２４がともに後方に押圧されてロックアーム１２１が弾性変形した状態においては、各ロック爪１２４を上下に挿通可能となるように形成されている。
【００３６】
このため、第１透明部材６０を左右の側方装着部５３，５３にガイドさせながら下方にスライドさせてゆくと、第１透明部材６０が窓枠５０の裏面側に装着される直前に、ロック爪１２４に形成された誘導面１２４ｃが爪受容孔１２５の開口端面に当接して相対摺動し、後方に押圧された各アーム部１２３を弾性変形させながらロック爪１２４が爪受容孔１２５内に進入する。そしてロック爪１２４の爪先端部が爪受容孔１２５を通り抜けると、アーム部１２３の弾性力によりアーム下端部が後方に揺動してロック爪１２４が元の状態に自己復帰する。そして、第１透明部材６０の下端面が下方装着部５４の立設面５２ｂに当接支持され、係止面１２４ｂが立設面５２ｂの下側に位置して立設面５２ｂと対峙して配設される。
【００３７】
この状態で第１透明部材６０を上方に移動させようとすると、左右のロック爪１２４の係止面１２４ｂが爪受容孔後方の立設面５２ｂと係合し、第１透明部材６０の上動が規制される。すなわち、第１透明部材６０が窓枠５０に装着された状態でロックされる。第１透明部材６０を取り外す際には、左右のロック爪１２４をともに後方に押圧して各ロックアーム１２１を弾性変形させ、係止面１２４ｂが爪受容孔１２５の後側立設面と係合しないように待避させて、ロック爪１２４を爪受容孔１２５の上方に移動させる。これによりロック状態が解放されて第１透明部材６０が上方に移動可能となり、第１透明部材６０をそのまま上方にスライドさせて引き抜けば、第１透明部材６０を窓枠５０から取り外すことができる。
【００３８】
従って、以上説明した第１実施形態の窓構造１０１によれば、窓枠５０の前面側に配設される合成樹脂製の第１透明部材６０について、損傷等により交換が必要になった場合に、第１透明部材６０のみを取り外して単体で交換することができる。このとき、第１透明部材６０は合成樹脂製のため軽量かつ安価であり、交換作業を容易に低コストで実施することができる。また交換される部材が合成樹脂製の第１透明部材単体であるためガラス等との分離作業が不要であり、そのまま既存のリサイクル処理ルートに乗せることができる。
【００３９】
さらに、第１透明部材側のロック構造を構成するロックアーム１１１を、射出成型等の成形手段により第１透明部材６０に一体成型することができるため、生産工数及びコストを低減した窓構造を提供でき、かつ樹脂材料の弾性を利用することにより簡明な構成で着脱交換が容易な窓構造を提供することができる。なお、各実施例では、ロック機構１１０，１２０を第１透明部材６０の下端部に形成した例を示したが、ロック機構を第１透明部材の上部または左右の側部に設けても良く、第１透明部材及び窓枠に設けたロックアームと爪受容孔の配置を逆構成（窓枠フレームに弾性変形可能なロックアームを設け、第１透明部材に爪受容孔を形成した構成）としても良い。
【００４０】
次に、第２実施形態の窓構造１０２について、図８〜図１０を併せて参照しながら説明する。ここで、図８は第２透明部材７０を取り外した状態で窓枠５０を裏面側から見た第２実施形態の窓構造１０２の背面図、図９は図８中のIX矢視方向の側断面図、図１０は図８中のX矢視の平断面図である。
【００４１】
第２実施形態の窓構造１０２は、窓枠５０の裏面側に、窓口開口５１を挟む左右に対向して第１透明部材６０の左右の側縁を挟む側方装着部５５，５５を有し、第１透明部材６０を後方に押圧して第１透明部材を所定量撓ませたときに、第１透明部材６０の側縁と側方装着部５５，５５との係合が解除されて着脱が可能になるように構成される。
【００４２】
ここで、側方装着部５５は、既述した側方装着部５３と同様に構成することができる。すなわち、図３に示したように、窓口開口５１を挟んで対向する左右の枠部５２Ｌ，５２Ｒの内側端部を後方にクランク状に曲折して側方装着部５５を形成することができる。側方装着部５５は、窓枠５０の裏面側に固定される固定面５２ａ、この固定面５２ａの内周側の縁部が後方に直角に折り曲げられた立設面５２ｂ、及び立設面５２ｂに繋がって固定面５２ａと平行に枠内方に延びる後方支持面５２ｃとからなり（図３を併せて参照）、左右の側方装着部５５の立設面５２ｂの内幅間隔を、第１透明部材６０の左右方向の外形寸法よりも幾分大きく、後方支持面５２ｃと窓口５１の後端面との間隔が第１透明部材６０の板厚よりも幾分大きくなるように設定する。
【００４３】
一方、本実施形態の窓構造１０２では、窓口開口５１を挟む上下に対向して端面支持部５７が複数形成されている。端面支持部５７は、図９に示すように、第１透明部材６０の外周端面を突き当て支持する平坦な支持辺であり、本実施形態では、窓枠５０の裏面側に突出するブロック状ないしリブ状の端面支持部５７を窓口開口５１の上方及び下方に各３箇所ずつ、窓枠５０に一体成型によりに形成した構成例を示す。これらの端面支持部５７，５７…は、第１透明部材６０の形状寸法に合わせて、対向する各端面支持部の内幅寸法が第１透明部材６０の外形寸法よりも幾分大きめに設定されている。なお、端面支持部５７を第１透明部材６０の上部端面および下部端面をそれぞれ囲む枠状に形成しても良い。
【００４４】
このように構成される窓構造では、第１透明部材６０が窓枠５０に装着された状態において、第１透明部材６０は、左右側縁が窓口開口５１を挟んで対向する側方支持部５５，５５に挟まれて前後及び左右方向への移動が規制され、下方の端面が窓口開口下側の端面支持部５７に支持されて上下の端面支持部５７，５７間で上下方向への移動が規制される。このため、第１透明部材６０は、この第１透明部材６０の板面の延びる方向に関していずれの方向についても移動が規制される。さらに、パチンコ機ＰＭが遊技に供される遊技状態では、図３中に二点鎖線で示すように、第１透明部材６０の後方を覆ってガラスユニット７５が閉止されており、第１透明部材６０の外周がガラスフレーム７２に囲まれるとともに、第１透明部材６０の後面が10mm程度の所定間隔をおいて第２透明部材７０に覆われ、第１透明部材６０の板面直交方向への撓みが第２透明部材７０により制限される。
【００４５】
第１透明部材６０の着脱は、ガラスユニット７５を開放し、あるいは取り外した状態で可能となる。第１透明部材６０を取り外す際には、図１０に示すように、第１透明部材の中央部を後方に押圧して撓ませ図中二点鎖線で示すように湾曲させる。このとき、上下の端面支持部５７は第１透明部材６０の側端面を支持するのみであるから障害とならず、第１透明部材６０の撓み変形を許容する。そして湾曲した第１透明部材６０の弦の長さが左右の側方支持部５５における後面支持部５２ｃの内幅間隔以下となったときに、第１透明部材６０と側方支持部５５との係合が解除され、第１透明部材６０が窓枠５０から取り外される。
【００４６】
第１透明部材６０を窓枠５０に装着する際は、第１透明部材６０の左右いずれかの側縁を側方支持部５５に係合させて第１透明部材６０を湾曲させ、他端側の側縁を他方の側方支持部５５にはめ込んで、第１透明部材を撓ませた押圧力を解除すればよい。押圧力が解除された第１透明部材６０は自己の弾性力により平坦に復帰し第１透明部材６０が窓枠５０に装着される。
【００４７】
このため、第２実施形態の窓構造１０２においても、第１実施形態の窓構造１０１と同様に、第１透明部材６０の交換が必要になった場合に、第１透明部材６０のみを単体で交換することができ、軽量かつ安価な樹脂材料を利用して、第１透明部材６０の交換作業を容易に低コストで実施することができる。また交換された第１透明部材が単一の樹脂材料製であるため分別作業が不要であり、既存のリサイクル処理ルートに乗せることができる。
【００４８】
さらに、本実施形態の窓構造１０２では、第１透明部材６０の装着状態において板面の延びる方向に関していずれの方向についても移動が規制され、ロック機構を設けることなく第１透明部材が装着姿勢に係止保持される。このため、樹脂材料の弾性を利用した簡明な構成でコストを低減した窓構造を提供できる。なお、本実施形態では、第１透明部材６０の側縁を挟む第１透明部材装着部を、窓口開口５１の左右側部に設けた構成を例示したが、これを窓口開口５１の上下に対向して設け、本実施例における端面支持部５７を左右側部に設けるように構成しても良い。
【００４９】
従って、以上説明した本発明の窓構造１０１，１０２によれば、透明部材の着脱作業を容易に、かつ低コストで実施可能な遊技機の窓構造を提供することができる。
【００５０】
なお、以上説明した実施形態では、本発明をパチンコ機に適用した場合について説明したが、アレンジボール機や雀球遊技機等の他種の弾球遊技機に適用することができ、同様の効果を得ることができる。
【図面の簡単な説明】
【００５１】
【図１】本発明を適用した遊技機の一例として示すパチンコ機の正面図である。
【図２】窓扉および遊技盤を取り外した状態における上記パチンコ機の正面図（窓扉については背面図）である。
【図３】第１実施形態の窓構造における第１透明部材が装着された状態の窓枠の平断面図である。
【図４】第１実施例のロック機構を図３中のIV矢視方向に見た背面図である。
【図５】図４中のV矢視方向に見た第１実施例のロック機構の側断面図である。
【図６】第２実施例のロック機構を図３中のVI矢視方向に見た背面図である。
【図７】図６中のVII矢視方向に見た第２実施例のロック機構の側断面図である。
【図８】第２透明部材を取り外した状態で窓枠を裏面側から見た第２実施形態の窓構造の背面図である。
【図９】図８中のIX矢視方向の側断面図である。
【図１０】図８中のX矢視の平断面図である。
【符号の説明】
【００５２】
ＰＭ  パチンコ機（遊技機）
１０  遊技盤
５０  窓枠
５５  側方装着部（第１透明部材装着部）
６０  第１透明部材
７０  第２透明部材
１０１  第１実施形態の窓構造
１０２  第２実施形態の窓構造
１１０  第１実施例のロック機構
１１１  ロックアーム（第１透明部材側のロック構造）
１２０  第２実施例のロック機構
１２１  ロックアーム（第２透明部材側のロック構造）
【図１】
2008228963.tif 000003
【図２】
2008228963.tif 000004
【図３】
2008228963.tif 000005
【図４】
2008228963.tif 000006
【図５】
2008228963.tif 000007
【図６】
2008228963.tif 000008
【図７】
2008228963.tif 000009
【図８】
2008228963.tif 000010
【図９】
2008228963.tif 000011
【図１０】
2008228963.tif 000012